(57)【要約】  特に家具用ヒンジの回転を減速させる装置（１）は、摩擦面（１７）にて摺動する少なくとも１つの回転する摩擦要素（１６）を収容する容器（４）と、ヒンジの回転時において横断方向に沿って移動自在なスライダ（１８）と、スライダ（１８）の運動を少なくとも１つの摩擦要素（１６）の回転運動に変換する運動学的手段とを備える。スライダ（１８）はヒンジの開放時においてその運動を受容する第１の手段と、ヒンジの閉鎖時においてその運動を受容する第２の手段とを有し、第１の手段は第２の手段とは別体であり、異なる。運動学的手段は、スライダ（１８）に一体的に連結され且つ摩擦要素（１６）に設けられるカム（２１）の外形内に恒久的に制限される張引要素（２０）を備える。張引要素（２０）は、ヒンジの開放時に摩擦要素（１６）を回転させるべくカム（２１）の外形の第１の区域と選択的に係合可能であり、ヒンジを閉鎖する最終的段階において摩擦要素を回転させるべくカム（２１）の外形の第２の区域と選択的に係合可能である。
2011515599.tif 000002
【特許請求の範囲】
【請求項１】
摩擦面にて摺動する少なくとも１つの回転する摩擦要素を収容する容器と、ヒンジの回転時において横方向に沿って移動自在なスライダと、スライダの運動を少なくとも１つの摩擦要素の回転運動に変換する運動学的手段とを備えるタイプの特に家具用ヒンジの回転を減速させる装置であって、該スライダはヒンジの開放回転時においてその運動を受容する第１の手段と、ヒンジの閉鎖時においてその運動を受容する第２の手段とを有し、第１の手段は第２の手段とは別体にして異なることと、該運動学的手段は、スライダに一体的に連結され且つ摩擦要素に設けられるカムの外形内に恒久的に制限される張引要素を備えることと、該張引要素は、ヒンジの開放回転時に摩擦要素を回転させるべくカムの外形の第１の区域と選択的に係合可能であり、ヒンジを閉鎖する最終的段階において摩擦要素を回転させるべくカムの外形の第２の区域と選択的に係合可能であることとを特徴とする家具用ヒンジの回転を減速させる装置。
【請求項２】
前記容器は金属、即ち剛性を備えた材料から形成されることを特徴とする請求項１に記載の家具用ヒンジの回転を減速させる装置。
【請求項３】
前記容器は窓を有する支持体、即ちカバーを有し、これに沿って前記スライダは平行移動するように案内されることを特徴とする請求項１又は２に記載の家具用ヒンジの回転を減速させる装置。
【請求項４】
前記摩擦要素は第１の板状円板であることを特徴とする請求項１乃至３のいずれか一項に記載の家具用ヒンジの回転を減速させる装置。
【請求項５】
前記第１の円板は、容器の底面に面する側面に、前記摺動面と係合する第１の複数の同軸上の凹部を有することと、該摺動面は第１の複数の同軸上の凹部と連結する形状を有する第２の複数の同軸上の凹部を備え、容器の底面に恒久的に固定される第２の板状円板に設けられることとを特徴とする請求項１乃至４のいずれか一項に記載の家具用ヒンジの回転を減速させる装置。
【請求項６】
前記カムは第１の板状円板の径方向に湾曲した展開部を有することを特徴とする請求項１乃至５のいずれか一項に記載の家具用ヒンジの回転を減速させる装置。
【請求項７】
前記カムは第１の板状円板の周縁部から中央部に向かって漸増する幅を有することを特徴とする請求項１乃至６のいずれか一項に記載の家具用ヒンジの回転を減速させる装置。
【請求項８】
前記カムは第１の板状円板の厚み部分に含まれる底面のめくら穴から形成されることを特徴とする請求項１乃至７のいずれか一項に記載の家具用ヒンジの回転を減速させる装置。
【請求項９】
前記第１の受容手段はスライダの対向する側面に複数の傾斜部を備えることを特徴とする請求項１乃至８のいずれか一項に記載の家具用ヒンジの回転を減速させる装置。
【請求項１０】
前記第２の受容手段はスライダの四角形の開口部の側面に傾斜した端部を備えることを特徴とする請求項１乃至９のいずれか一項に記載の家具用ヒンジの回転を減速させる装置。
【請求項１１】
前記容器は粘性を備えた媒体により満たされ、機械的及び粘性のタイプの組み合わせによる効果により減速することを特徴とする請求項１乃至１０のいずれか一項に記載の家具用ヒンジの回転を減速させる装置。
【請求項１２】
前記容器及びカバー間をスナップ連結する手段を更に備えることを特徴とする請求項１乃至１１のいずれか一項に記載の減速装置。
【請求項１３】
家具の扉に固定される箱状本体と、家具の固定要素に固定されるアームとを間に操作自在に連結する第１の等化器及び第２の等化器からなるタイプの家具用ヒンジであって、箱状本体の底面の外側面に固定される請求項１乃至１２のいずれか一項に記載の減速装置を有することを特徴とする家具用ヒンジ。
【請求項１４】
前記容器は箱状本体から距離をおいて容器を支持するスペーサ手段を備えることを特徴とする請求項１乃至１３のいずれか一項に記載の家具用ヒンジ。
【請求項１５】
前記スペーサ手段は、容器の生成器に沿って突出し且つ箱状本体の外側面に係合する周囲拡張部を備えることを特徴とする請求項１乃至１４のいずれか一項に記載の家具用ヒンジ。
【請求項１６】
前記カバーは容器の頂面の上方に支持され、箱状本体から離間されることを特徴とする請求項１３乃至１５のいずれか一項に記載の家具用ヒンジ。
【請求項１７】
前記減速装置を箱状本体に迅速に連結する手段を更に備えることを特徴とする請求項１３乃至１６のいずれか一項に記載の家具用ヒンジ。
【請求項１８】
前記迅速に連結する手段は、箱状本体及び容器又はカバーの特別な穴に嵌入する平行な複数の軸を有するＵ字型ボルトを備えることを特徴とする請求項１乃至１７のいずれか一項に記載の家具用ヒンジ。
【請求項１９】
前記複数の軸は、箱状本体に等化器を係合させるべく複数のピンを形成することを特徴とする請求項１乃至１８のいずれか一項に記載の家具用ヒンジ。
【請求項２０】
前記箱状本体の底面は窓を有し、窓を通して複数の等化器のうち１つはスライダにアクセスすることと、等化器の一方と一体的に形成される第１の運動受容手段を制御する第１のカムと、第２の運動受容手段のための、等化器の１つに取り付けられる第２の制御カムとが設けられることとを特徴とする請求項１３乃至１９のいずれか一項に記載の家具用ヒンジ。
【請求項２１】
前記扉を復帰させるべく屈曲バネを駆動するために第１の等化器に位置される制御カムからなる家具用ヒンジであって、屈曲バネを駆動する制御カムと屈曲バネとの間に接触面を有することと、同接触面はヒンジの回転時において屈曲バネを制御すべくカムの外形に沿って、且つ屈曲バネの外形に沿って移動することと、該屈曲バネを制御するカムは、連続した径の湾曲部、及び第１の等化器をアームに対して枢動させるピンから距離をおいて位置される湾曲部の中央部を有する弧状の外形を有することとを特徴とする請求項１３乃至２０のいずれか一項に記載の家具用ヒンジ。
【発明の詳細な説明】
【技術分野】
【０００１】
本発明は、特に家具用ヒンジの回転を減速させる装置及び減速装置を有するヒンジに関する。
【背景技術】
【０００２】
家具の固定要素に固定されるアームと、家具の扉に固定される箱形要素と、箱状要素及びアームを相互に連結し、これらにより関節四辺形を形成する第１の等化器及び第２の等化器とからなる家具用ヒンジが長年にわたって市場にて販売されている。
【０００３】
このヒンジは通常、扉に開閉のための復元力を生じさせるため様々なタイプのバネが使用される。。このヒンジにおいて、上記バネの弾性反応により扉の運動を減速させる装置の存在は望ましい。特に、このような減速装置は、扉を閉じる際に家具の本体に対する激しい衝撃による騒音を防止する目的を有する。
【０００４】
相互運動において部品間に設けられる粘性を備えた媒体を使用することに基づく減速装置が公知である。この装置は、気温に大きく左右される。即ち、粘性を備えた媒体は、その粘性が気温に明瞭に左右されて作動する。
【０００５】
例えば、高い粘性を備えた媒体を使用することは、気温が急激に下がるとヒンジが破損してしまうため非生産的である。低い粘性を備えた媒体を使用することは、気温が（例えば室内における人工光により生じる光線が問題のヒンジに直射される場合に）急激に上がると非生産的である。ヒンジの回転を減速させるための機械的又は粘性タイプの組み合わせた効果を有する減速システムが開発されている。
【０００６】
特に、粘性を備えた流体により満たされたプラスチックの容器が、摩擦面に対する回転を駆動可能な摩擦板を収容する減速装置を参照する。特に、ヒンジの回転により平行移動可能なスライダは、スライダの平行移動を摩擦板の回転に変換する張引要素を支持する。
【０００７】
この減速システムは、高応力による短い耐久期間と並び、制限された構造上の能率及び抵抗力を有するという問題点を有し、暴露されるこれらを形成する部品は摩耗する。
特に、これらのシステムのうちいくつかにおいて、スライダは相互に相反する特徴を同時に有する必要があり、例えば、ヒンジの閉鎖回転中に摩擦板を回転させるために十分な剛性、及び摩擦板を移動させないようにヒンジの開放回転中に屈曲可能なように十分な弾性を同時に有する必要がある。スライダに対する反復する機械的応力により、スライダは破損を生じる。特に、ヒンジが長期間にわたって使用されない状態を保持する場合に、粘性を備えた流体の静的な分子の粘着性大きくなり、ヒンジの後続する回転駆動に要する圧力は上昇するため、スライダが耐久することを要求される機械的応力も上昇する。
【０００８】
ヒンジの箱状本体の外側に取り付けられる公知の減速装置に見られる別の問題点は、その設置時に要求され得る機械的応力の暴露の場合においても原状態を保持すべく好適な剛性及び機械的抵抗力を有することを要求されることにある。機械的応力として、例えば、家具の扉の穴が、受容するように要求されるヒンジの箱を収容する寸法に正確に形成されていない場合に生じる応力が挙げられる。この場合において、減速システムの容器の変形により、装置の性能は低下し、部品は大きく摩耗し、従って使用寿命が短くなるほか、維持に余分な費用が生じる。
【発明の概要】
【発明が解決しようとする課題】
【０００９】
従って、本発明により提案される技術的課題は、公知技術による問題点を解決可能な家具用ヒンジの減速装置を提供することにある。
本技術的課題の範囲において、本発明の課題は、操作下における気温の状況の変化に対して好適な能率を保持することのできる家具用ヒンジの減速装置を提供することにある。
【００１０】
本発明の別の課題は、大きな機械的抵抗力を備え、小型、長寿命であり、且つ低コストである家具ヒンジの減速装置を提供することにある。
【課題を解決するための手段】
【００１１】
本発明による技術的課題及びその他の課題は、請求項１に記載の家具用ヒンジの減速装置を提供することにより解決される。
更に、本発明による別の特徴は添付の特許請求の範囲に開示される。
【００１２】
本発明の更なる特徴及び効果は開示される家具用ヒンジの減速装置の好適な非制限的実施例の記載から明らかとなり、添付の図面に非制限的に示される。
【図面の簡単な説明】
【００１３】
【図１】本発明の好適な実施例における家具用ヒンジの減速装置及び箱状本体を示す分解斜視図。
【図２】ヒンジの閉鎖位置にて直径方向に区分される図１の減速装置を示す側面図。
【図３】ヒンジの閉鎖位置における図１の減速装置を示す平面図。
【図４】ヒンジの部分的開放時における位置にて直径方向に区分される図１の減速装置を示す側面図。
【図５】図４に対応するヒンジの部分的開放位置における図１の減速装置を示す平面図。
【図６】ヒンジの閉鎖工程の開始に対応する位置にて直径方向に区分される図１の減速装置を示す側面図。
【図７】図６に対応するヒンジの位置における図１の減速装置を示す平面図。
【図８】図１の加速装置のスライダを示す底面図。
【図９】図１の加速装置のスライダを示す上面斜視図。
【図１０】図１の減速装置の摩擦板を示す直径方向における側面断面図。
【図１１】図１の減速装置の容器の底面に固定され支持される円板を示す直径方向における側面断面図。
【図１２】図１１に示す円板を示す斜視図。
【図１３】図２のヒンジの等化器のうち一方を示し、図１の減速装置のヒンジの閉鎖駆動のためのカムを示す側面図。
【図１４】図１３に示す等化器に示されるカムを示す斜視図。
【図１５】本発明の第２の好適な方法において、減速装置の容器と、図１のヒンジの箱状本体との間の空隙を示す図。
【図１６】本発明の第２の好適な方法において、減速装置の容器を示す側面図。
【発明を実施するための形態】
【００１４】
上記図面において、家具用ヒンジの減速装置は、参照符号１によりその全体が示される。
減速装置１が取り付けられるヒンジは、箱状本体４とアーム５とを操作自在に連結する第１の等化器２及び第２の等化器３からなる。箱状本体４は家具の扉に固定され、アーム５は例えば家具の側面のような家具の固定要素（図示しない）に固定される。
【００１５】
特に、第１の等化器２は、ピボット７を中心として箱状本体４に対して枢動し、ピボット８を中心としてアーム５に対して枢動する。第２の等化器３は、ピボット９を中心として箱状本体４に対して枢動し、ピボット１０を中心としてアーム５に対して枢動する。ヒンジピボット７、８、９、及び１０は平行な軸を有する。ピボット７、８、９、及び１０をにより等化器２及び等化器３によって操作自在に連結される箱状本体４及びア―ム５により形成される構造体は、連結された四辺形を形成する。枢動ピボット１０の周囲には、アーム５と協動する第１のアーム１２及び等化器２と協動する第２のアーム１３を有するバネ１１が位置される。
【００１６】
扉の最終的な閉鎖段階において、バネ１１により扉を自発的且つ正確に閉鎖する復元力が扉に生じる。
減速装置１は箱状本体４の底面１５の外側面に固定される容器１４からなる。
容器１４は、摩擦面１７にて回転する少なくとも１つの摩擦要素１６、所定の場合において１つのみの摩擦要素１６と、ヒンジの回転時に横断方向１９に沿って移動自在な好適に板状のスライダ１８と、スライダ１８の平行運動を摩擦要素１６の回転運動に変換する運動学的手段とを収容する。
【００１７】
運動学的手段は、スライダ１８と一体的に形成され、且つ摩擦要素１６に設けられるカム２１の外形に恒久的に制限される張引要素２０を備える。
好適に、カム２１は摩擦要素１６の厚み部分に含まれる底面のめくら穴から形成される。
【００１８】
張引要素２０はカム外形２１の第１の区域２２と選択的に係合自在であり、これによりヒンジの開放時において摩擦要素１６の回転を駆動するか、或いはカム外形２１の第２の区域２３と選択的に係合自在であり、これによりヒンジの最終的な閉鎖段階において、摩擦要素１６の回転を駆動する。
【００１９】
スライダ１８はヒンジの閉鎖時においてその運動を受容する第２の手段とは別体として異なる、ヒンジの開放時においてその運動を受容する第１の手段を有する。
特に好適な態様において、容器１４は任意の場合において、要求される機械的抵抗力を好適に付与する金属、即ち剛性を備えた材料から形成され、減速装置のその他の部分は好適にプラスチックから形成される。
【００２０】
更に、容器１４は内部に設けられる複数の要素を保持する支持体、即ちカバー２４を有する。
特に、カバー２４は窓２５を有し、同窓２５に沿ってスライダ１８は横断方向に案内される。スライダ１８は四角形であり、２つの対向する直線的な側面に設けられ、箱状本体４の底面の下方に案内される直線的な案内リブ２６を備え、窓２５の対向する直線的な側面２７の間に案内される。
【００２１】
図示の好適な実施例において、容器１４は円筒状であり、摩擦要素１６は、特に容器１４に対して同軸上に位置される第１の平坦な形状に形成された円板であり、容器１４の底面に面する側に、第１の複数の同心上の凹部２８を有する。摩擦要素１６は、第２の複数の同心上の凹部２９からなる摩擦面１７と係合し、第２の複数の同心上の凹部２９は第１の複数の同心上の凹部２８と連結する形状を有する。摩擦要素１６は、容器１４に対して同軸上に位置される第２の板状円板３０にその底面が固定されるように形成される。
【００２２】
より詳細には、第２の円板３０は、容器１４の底面に面する側に、容器１４の底面の内側に形成される各凹部３２に収容されるボス３１を有し、摩擦要素１６に面する側に、凹部２９に沿って、中央部に位置されるように、摩擦要素１６の中央部パイプ部３４に嵌入する中央部ハブ３３を有する。
【００２３】
カム２１は摩擦要素１６に径方向に曲線をなす展開部を有し、特に摩擦要素１６の周縁部から中央部に向かって漸増する幅を有する。
スライダ１８の運動を受容する第１の手段は、スライダ１８の対向する横断方向側面に得られる傾斜部３５を備え、第２の受容手段はスライダ１８の四角形の開口部３６の側面の傾斜した端部３７を備える。
【００２４】
傾斜した端部３７を有する開口部３６の側面は、スライダ１８の前方端部３８に近接し、且つ平行である。張引要素２０は、傾斜した端部３７を有する開口部３６の側面及びスライダ１８の前方端部３８の間に形成されるスライダ１８の低い面から一体的に延びる。
【００２５】
スライダ１８はカバー２４の窓２５と重合する箱状本体４の底面の窓４１を通して等化器３にアクセス可能である。
等化器３は背面及び側面を備えるＵ字状の横断方向区域を有し、それぞれの先端方向に、スライダ１８の運動を受容する第１の手段を制御するための第１のカム４２が第２の等化器３と一体的に形成される。第２の受容手段１８を制御するための第２のカム４０はこれが取り付けられる等化器３とは異なる要素から形成される。
【００２６】
第１の制御カム４２は、等化器３の両側の両端における横方向突出部４６からなり、それぞれ対応する傾斜部３５と抵触する。
第２の制御カム４０を形成する要素は、傾斜した端部３７と抵触する外形４７と、ピン９を収容する横断方向に開放される円筒状溝４３と、第２の等化器３の背面４５と連結されるシート４４とを有する。
【００２７】
図１乃至１４において、減速装置１は、ヒンジの箱状本体４と迅速に連結する手段、特に箱状本体４の特別な穴５２及び５５、並びにカバー２４の特別な穴５３及び５６（これに代えて、穴５３及び５６は容器１４に設けられてもよい）に嵌入する平行な複数の軸を備えるＵ字型ボルト（図示しない）を備える。Ｕ字型ボルトの平行な複数の軸は、等化器２及び等化器３を箱状本体４に対して枢動させるピボット７及びピボット９を好適に形成する。これにより、ヒンジの既存の組立ラインに工程を付与することのみによって減速装置を取り付けることができ、従って、変形は必要とされない。
【００２８】
連結手段は容器１４並びにそのカバー２４及びヒンジの箱状本体４により形成される複合体の間に設けられ、一方がカバー２４に、他方が箱状本体４に設けられ、Ｕ字型ボルトにより閉塞される好適な位置にて相互に終端する。
【００２９】
隣接手段は、ヒンジの箱状本体４の対向する穴５１に嵌入する、カバー２４の少なくとも１本のピン５４からなる。
容器１４は、箱状本体４から距離をおいて支持するスペーサ手段からなる。
【００３０】
スペーサ手段は、容器１４の生成器に沿って突出する周囲拡張部５７を備え、これらは箱状本体の外側面に係合する。特に、各拡張部５７は、箱状本体４の外側に面するフランジ５９の底面に隣接する対応するフランジ５８を有する。
【００３１】
逆に、カバー２４の容器１４に対する連結は、複数の係合部の一方の側面に設けられる弾性を備えた弾力歯６０を他方の側面に設けられるスロット６１に嵌入させることにより可能である。
【００３２】
図１５及び１６に、箱状本体４から距離をおいて容器１４を支持するスペーサ手段は、箱状本体４から離間するように容器１４の頂面に適合するのではなく支持されるカバー２４から形成されることを示す。
【００３３】
特に、容器１４の周囲端部６２はカバー２４の周囲のカラー６３に位置される。
カバー２４の容器１４に対する連結は、弾性を備えた歯６９及びスロット６１により更に堅固に固定される。
【００３４】
減速装置１の操作を簡明に後述する。
図６に示すヒンジの閉鎖回転時に、ピン９を中心として回転する第２の制御カム４０は、その外形４７により傾斜した端部３７に対して抵触し、且つ押圧を開始し、これにより、スライダ１８の方向に移動させる。この移動方向において、張引部材２０は、最初にカム２１の端部２２から分離し、カム２１の端部との接触が終了した後に、これを押圧し、摩擦要素１６を回転させる。摩擦要素１６及び第２の円板３０の間の接触面にて生じた張引摩擦力により、ヒンジの閉鎖の最終的部分における好適な減速が決定される。
【００３５】
反対に、図４に示すヒンジ開放方向に配向された回転時において、ピン９を中心として回転させることにより、第１の制御カム４２の突出部４６は、傾斜部３５を押圧し、これにより、スライダ１８に対して反対方向の移動を生じさせる。この移動方向において、張引部材２０は最初にカム２１の端部２３から分離し、カム２１の端部２２と接触が終了した後に、押圧を開始し、摩擦要素１６を回転させる。
【００３６】
減速装置１の更なる実施例において、容器１４を粘性を備えた媒体により満たし、機械的及び粘性のタイプの組み合わせによる効果により減速させてもよい。
本発明の減速装置は、完全に機械的効果に基づくか、機械的及び粘性のタイプの組み合わせによる効果に基づくかに関わりなく高い能率を有する。
【００３７】
張引要素は構造的に非常に堅固であり、これを支持するスライダは長期間にわたって一体性を保持し、その運動による応力はヒンジを開閉する回転方向に応じて、異なる別体の領域に分配される。
【００３８】
任意の場合において、容器を形成する金属、即ち剛性を備えた材料により、穴への嵌入時において、家具の扉の変形を防止され、好適な性能、より長い寿命、及びより低い保守費用が補償される。
【００３９】
更に、本発明によるヒンジの好適な実施例において、屈曲バネ１１を駆動すべく第１の等化器２に特別な制御カム５０を設けることができるものといえる。制御カム５０及び屈曲バネ１１の間に、ヒンジの回転時において制御カム５０の外形に沿って、且つ屈曲バネ１１の外形に沿って移動する接触面が位置される。制御カム５０は、連続した径の湾曲部、及び第１の等化器２をアーム５に対して枢動させるピン８から距離をおいて位置される湾曲部の中央部を有する弧状の外形を有する。
【００４０】
この特別な制御カム５０により、ヒンジは、減速装置の駆動角度が確実に屈曲バネ１１の操作角度からなり、更に閉鎖時において屈曲バネ１１が十分な閉鎖力を作用させない場合においても停滞が生じることを確実に防止する。その一方減速装置が既に作動している場合に、ヒンジは、屈曲バネ１１及び開放時の減速装置の作用の蓄積によりジャムが確実に生じないようにする。
【００４１】
従って、本発明による減速装置は様々な変形及び変更が可能であり、全て本発明の概念の範囲内にある。全ての詳細な部分を技術的に均等な要素に代えてもよい。
応用において、使用される材料の他寸法は、発明の要件及び状態に応じて変更可能である。
【図１】
2011515599.tif 000003
【図２】
2011515599.tif 000004
【図３】
2011515599.tif 000005
【図４】
2011515599.tif 000006
【図５】
2011515599.tif 000007
【図６】
2011515599.tif 000008
【図７】
2011515599.tif 000009
【図８】
2011515599.tif 000010
【図９】
2011515599.tif 000011
【図１０】
2011515599.tif 000012
【図１１】
2011515599.tif 000013
【図１２】
2011515599.tif 000014
【図１３】
2011515599.tif 000015
【図１４】
2011515599.tif 000016
【図１５】
2011515599.tif 000017
【図１６】
2011515599.tif 000018
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
摩擦面（１７）にて摺動する少なくとも１つの回転する摩擦要素（１６）を収容する容器（１４）と、ヒンジの回転時において横方向（１９）に沿って移動自在なスライダ（１８）と、スライダ（１８）の運動を少なくとも１つの摩擦要素（１６）の回転運動に変換する運動学的手段とを備え、同運動学的手段は、スライダ（１８）に一体的に連結され且つ摩擦要素（１６）に設けられるカム（２１）の外形内に恒久的に制限される張引要素（２０）を備えるタイプの特に家具用ヒンジの回転を減速させる装置（１）であって、該カム（２１）は摩擦要素（１６）の径方向に湾曲した展開部、及び摩擦要素（１６）の周縁部から中央部に向かって漸増する幅を有することと、該張引要素（２０）は、ヒンジの開放回転時に摩擦要素（１６）を回転させるべくカム（２１）の外形の第１の区域（２２）と選択的に係合可能であり、ヒンジを閉鎖する最終的段階において摩擦要素（１６）を回転させるべくカム（２１）の外形の第２の区域（２３）と選択的に係合可能であることとを特徴とする家具用ヒンジの回転を減速させる装置。
【請求項２】
前記容器（１４）は金属、即ち剛性を備えた材料から形成されることを特徴とする請求項１に記載の家具用ヒンジの回転を減速させる装置（１）。
【請求項３】
前記容器（１４）は窓（２５）を有する支持体、即ちカバー（２４）を有し、同窓（２５）に沿って前記スライダ１８は平行移動するように案内されることを特徴とする請求項１又は２に記載の家具用ヒンジの回転を減速させる装置（１）。
【請求項４】
前記摩擦要素（１６）は第１の板状円板であることを特徴とする請求項１乃至３のいずれか一項に記載の家具用ヒンジの回転を減速させる装置（１）。
【請求項５】
前記第１の円板は、容器（１４）の底面に面する側面に、前記摺動面と係合する第１の複数の同軸上の凹部（２８）を有することと、該摺動面は第１の複数の同軸上の凹部（２８）と連結する形状を有する第２の複数の同軸上の凹部（２９）を備え、容器（１４）の底面に恒久的に固定される第２の板状円板（３０）に設けられることとを特徴とする請求項１乃至４のいずれか一項に記載の家具用ヒンジの回転を減速させる装置（１）。
【請求項６】
前記スライダ（１８）はヒンジの開放回転時においてその運動を受容すべく第１の制御カム（４２）と協動する第１の手段と、ヒンジの閉鎖回転時においてその運動を受容する第２の制御カム（４０）と協動する第２の手段とを有し、第１の手段は第２の手段とは別体にして異なることとを特徴とする請求項１乃至５のいずれか一項に記載の家具用ヒンジの回転を減速させる装置（１）。
【請求項７】
前記第１の制御カム（４２）はヒンジの等化器（３）の両側面の端部に横方向突出部（４６）を備え、第２の制御カム（４０）は同第２の制御カム（４０）が取り付けられる等化器（３）とは異なる要素から形成されることを特徴とする請求項１乃至６のいずれか一項に記載の家具用ヒンジの回転を減速させる装置（１）。
【請求項８】
前記カム（２１）は第１の板状円板の厚み部分に含まれる底面のめくら穴から形成されることを特徴とする請求項１乃至７のいずれか一項に記載の家具用ヒンジの回転を減速させる装置（１）。
【請求項９】
前記第１の受容手段はスライダ（１８）の対向する側面に複数の傾斜部（３５）を備えることを特徴とする請求項１乃至８のいずれか一項に記載の家具用ヒンジの回転を減速させる装置（１）。
【請求項１０】
前記第２の受容手段はスライダ（１８）の四角形の開口部（３６）の側面に傾斜した端部（３７）を備えることを特徴とする請求項１乃至９のいずれか一項に記載の家具用ヒンジの回転を減速させる装置（１）。
【請求項１１】
前記容器（１４）は粘性を備えた媒体により満たされ、機械的及び粘性のタイプの組み合わせによる効果により減速することを特徴とする請求項１乃至１０のいずれか一項に記載の家具用ヒンジの回転を減速させる装置（１）。
【請求項１２】
前記容器（１４）及びカバー（２４）間をスナップ連結する手段を更に備えることを特徴とする請求項１乃至１１のいずれか一項に記載の減速装置（１）。
【請求項１３】
家具の扉に固定される箱状本体（４）と、家具の固定要素に固定されるアーム（５）とを間に操作自在に連結する第１の等化器（２）及び第２の等化器（３）からなるタイプの家具用ヒンジであって、箱状本体（４）の底面の外側面に固定される請求項１乃至１２のいずれか一項に記載の減速装置（１）を有することを特徴とする家具用ヒンジ。
【請求項１４】
前記容器は箱状本体（４）から距離をおいて容器を支持するスペーサ手段を備えることを特徴とする請求項１乃至１３のいずれか一項に記載の家具用ヒンジ。
【請求項１５】
前記スペーサ手段は、容器（１４）の生成器に沿って突出し且つ箱状本体（４）の外側面に係合する周囲拡張部（５７）を備えることを特徴とする請求項１乃至１４のいずれか一項に記載の家具用ヒンジ。
【請求項１６】
前記カバー（２４）は容器（１４）の頂面の上方に支持され、箱状本体（４）から離間されることを特徴とする請求項１３乃至１５のいずれか一項に記載の家具用ヒンジ。
【請求項１７】
前記減速装置を箱状本体（４）に迅速に連結する手段を更に備えることを特徴とする請求項１３乃至１６のいずれか一項に記載の家具用ヒンジ。
【請求項１８】
前記迅速に連結する手段は、箱状本体（４）及び容器（１４）又はカバー（２４）の特別な穴（５２，５５；５３，５６）に嵌入する平行な複数の軸を有するＵ字型ボルトを備えることを特徴とする請求項１乃至１７のいずれか一項に記載の家具用ヒンジ。
【請求項１９】
前記複数の軸は、箱状本体（４）に等化器（２，３）を係合させるべく複数のピンを形成することを特徴とする請求項１乃至１８のいずれか一項に記載の家具用ヒンジ。
【請求項２０】
前記箱状本体（４）の底面は窓（４１）を有し、同窓（４１）を通して複数の等化器（３）のうち１つはスライダ（１８）にアクセスすることと、等化器（３）の一方と一体的に形成される第１の運動受容手段を制御する第１のカム（４２）と、第２の運動受容手段のための、等化器（３）の１つに取り付けられる第２の制御カム（４０）とが設けられることとを特徴とする請求項１３乃至１９のいずれか一項に記載の家具用ヒンジ。
【請求項２１】
前記扉を復帰させるべく屈曲バネ（１１）を駆動するために第１の等化器（２）に位置される制御カム（５０）からなる家具用ヒンジであって、屈曲バネ（１１）を駆動する制御カム（５０）と屈曲バネ（１１）との間に接触面を有することと、同接触面はヒンジの回転時において屈曲バネ（１１）を制御すべくカム（５０）の外形に沿って、且つ屈曲バネ（１１）の外形に沿って移動することと、該屈曲バネ（１１）を制御するカム（５０）は、連続した径の湾曲部、及び第１の等化器（２）をアーム（５）に対して枢動させるピン（８）から距離をおいて位置される湾曲部の中央部を有する弧状の外形を有することとを特徴とする請求項１３乃至２０のいずれか一項に記載の家具用ヒンジ。
【国際調査報告】
2011515599.tif 000019
2011515599.tif 000020